(57)【要約】【課題】ネットワークやネットワーク機器を効率よく評価・検証等（例えば、障害の発生要因）できるネットワーク評価装置を実現することにある。【解決手段】ネットワークやネットワーク機器のパケットを測定して解析部が統計情報を求めるネットワーク評価装置に改良を加えたものである。本装置は、解析部が求めた統計情報のうち、所望の種類の統計情報を選択する第１の選択部と、この第１の選択部で選択された統計情報のうち、所望の値となる統計情報を選択する第２の選択部と、この第２の選択部で選択された統計情報を表示する表示部とを設けたことを特徴とするものである。【選択図】図１
2008211552.tif 000002
【特許請求の範囲】
【請求項１】
ネットワークやネットワーク機器のパケットを測定して解析部が統計情報を求めるネットワーク評価装置において、
前記解析部が求めた統計情報のうち、所望の種類の統計情報を選択する第１の選択部と、
この第１の選択部で選択された統計情報のうち、所望の値となる統計情報を選択する第２の選択部と、
この第２の選択部で選択された統計情報を表示する表示部と
を設けたことを特徴とするネットワーク評価装置。
【請求項２】
第２の選択部は、複数の条件で選択を行なって、条件ごとに統計情報を表示させることを特徴とする請求項１記載のネットワーク評価装置。
【請求項３】
前記ネットワーク機器に負荷を与えるためのデータを生成する発生部を有することを特徴とする請求項１または２記載のネットワーク評価装置。
【発明の詳細な説明】
【技術分野】
【０００１】
本発明は、ネットワークやネットワーク機器のパケットを測定して統計情報を求め、この統計情報を表示部の表示画面に表示するネットワーク評価装置に関し、詳しくは、ネットワークやネットワーク機器を効率よく評価・検証等（例えば、障害の発生要因）できるネットワーク評価装置に関するものである。
【背景技術】
【０００２】
ＬＡＮ、ＷＡＮ、インターネット等のネットワークでは、スイッチ、ルータ等の様々なネットワーク機器が接続されている。また、近年のネットワークでは、イーサネット（登録商標）等で接続され、所定のプロトコル（例えば、ＩＰ（Internet Protocol））で通信される。
【０００３】
ネットワーク評価装置とは、ネットワークそのものやネットワーク機器の評価・検証等を行なうものである。例えば、ＩＰネットワークの評価等を行なう場合、ネットワーク評価装置をネットワークに接続し、接続回線上に流れるパケットを取得し、取得したパケットから様々な統計情報を求め、評価等を行なう。また、ＩＰネットワーク機器の評価を行なう場合、ＩＰデータを生成してＩＰネットワーク機器に様々な測定用のトラフィック負荷を与え、この負荷に対する応答のパケットを測定・取得し、取得したパケットから様々な統計情報を求め、評価等を行なう（非特許文献１参照）。
【０００４】
【非特許文献１】平岡伸之他３名、”ＩＰネットワーク試験機ＡＥ５５１１トラフィックテスターＰｒｏ”、横河技報、Ｖｏｌ．４９，Ｎｏ．４（２００５），ｐ３３−３６
【発明の開示】
【発明が解決しようとする課題】
【０００５】
ネットワーク評価装置が評価等を行なう統計情報は、例えば、送信や受信した正常なフレーム数、送信や受信した正常なバイト数、遅延時間（最大、最小、平均等で［ｍｓ］）、フレーム間ギャップ（最大、最小、平均等で［μｓ］）、トラフィックレート(［frame/s］，［％］，［bps］等)、リプライ、コリジョン、ポーズフレーム、エラーフレーム、CRCエラー数、アンダーサイズ、オーバーサイズ、アライメントエラー、シンボルエラー、ビットエラーを含むフレーム、ビットエラー(bit)、同期外れ、同期中の受信バイト、測定時間等の様々な種類（数十〜数百）の情報がある。
【０００６】
ネットワーク評価装置は、非常に多種類の統計情報を求めて表示画面に表示するが、ユーザにとっては統計情報が膨大となり所望の統計情報を得るのが困難であった。
【０００７】
そこで、ネットワーク評価装置は、統計情報を種別（項目別）に選択して表示するフィルタ機能が備わっていることが多い。
【０００８】
しかしながら、統計情報の種類それぞれでフィルタした場合であっても、選択された各統計情報の値は表示画面上で目視して確認しなければならず、ネットワークシステムの障害を発生させる要因となる統計情報のみを抽出することが困難であるという問題があった。
【０００９】
特にリアルタイムに評価を行なう場合、不必要な統計情報までも目視で確認するため、本当に必要な統計情報の見落としが発生したり、場合によっては、測定を一旦止めて測定終了後に再度表示させて障害の要因となる統計情報の解析等を行なう必要があり、リアルタイム性が確保されないという問題もあった。
【００１０】
そこで本発明の目的は、ネットワークやネットワーク機器を効率よく評価・検証等できるネットワーク評価装置を実現することにある。
【課題を解決するための手段】
【００１１】
請求項１記載の発明は、
ネットワークやネットワーク機器のパケットを測定して解析部が統計情報を求めるネットワーク評価装置において、
前記解析部が求めた統計情報のうち、所望の種類の統計情報を選択する第１の選択部と、
この第１の選択部で選択された統計情報のうち、所望の値となる統計情報を選択する第２の選択部と、
この第２の選択部で選択された統計情報を表示する表示部と
を設けたことを特徴とするものである。
請求項２記載の発明は、請求項１記載の発明において、
第２の選択部は、複数の条件で選択を行なって、条件ごとに統計情報を表示させることを特徴とするものである。
請求項３記載の発明は、請求項１または２記載の発明において、
前記ネットワーク機器に負荷を与えるためのデータを生成する発生部を有することを特徴とするものである。
【発明の効果】
【００１２】
第１の選択部が、所望の種類の統計情報を選択し、第２の選択部が、第１の選択部で選択された統計情報のなかから所望の値となる統計情報のみを更に選択して表示部の表示画面に表示する。これにより、ユーザが本当に必要とする統計情報のみを表示することができネットワークやネットワーク機器を効率よく評価・検証等できる。
【発明を実施するための最良の形態】
【００１３】
以下図面を用いて本発明の実施の形態を説明する。
図１は、本発明の一実施例を示した構成図である。図２は、図１に示すネットワーク評価装置１００を用いたネットワーク評価システムの構成図である。
【００１４】
図１、図２において、ポート１０は、複数個設けられ、被測定対象のネットワーク２００やネットワーク機器３００と接続され、ＩＰデータのパケットが入出力される。測定部２０は、ポート１０ごとに設けられ、ポート１０を介してパケットを送信、受信する。メモリ３０は、測定部２０と相互に接続され、ＩＰデータを格納する。
【００１５】
発生部４０は、ネットワーク機器３００に負荷を与えるためのＩＰデータを生成し、メモリ３０に格納する。解析部５０は、メモリ３０のＩＰデータから被測定対象のネットワーク２００やネットワーク機器３００の統計情報を求める。
【００１６】
種別による選択部（第１の選択部）６０は、解析部５０から統計情報が入力される。値による選択部（第２の選択部）７０は、選択部６０で選択された統計情報が入力される。表示部８０は、選択部７０でさらに選択された統計情報を表示画面に表示する。設定部９０は、発生部４０、解析部５０、選択部６０、７０の設定を行なう。
【００１７】
ネットワーク評価装置１００は、図１に示す装置であり、ネットワーク２００は、ＬＡＮ、ＷＡＮ等であり相互に接続され、ネットワーク機器３００は、ネットワーク２００内やネットワーク２００間に接続される。
【００１８】
このような装置の動作を説明する。図３は、図１、図２に示すネットワーク評価装置１００の動作を説明したフローチャートである。
【００１９】
設定部９０が、発生部４０にネットワーク機器２００に負荷を与えるためのＩＰデータの設定する。また、設定部９０が、解析対象の統計情報の種類を解析部５０に設定し、選択する統計情報の種類を選択部６０に設定し、選択する値を選択部７０に設定する（Ｓ１０）。
【００２０】
設定が終了した後、発生部４０が、設定に従って所定のＩＰデータを生成しメモリ３０に格納する。さらに、測定部２０が、メモリ３０からＩＰデータを読み出して、ＩＰデータを被測定対象のネットワーク２００、ネットワーク機器３００に適したプロトコルのパケットに変換し（例えば、電気信号と光信号の変換、所定のビットレートに適したパケットに変換等）、ポート１０を介してネットワーク機器３００に送信する。また、測定部２０が、ポート１０を介してネットワーク２００上を流れるパケットやネットワーク機器３００からのパケット（負荷として送信したパケットに対応したパケット）を受信し、後段の解析部５０で解析可能な形式のＩＰデータに変換してメモリ３０に格納する（Ｓ１１）。
【００２１】
そして、解析部５０が、メモリ３０からＩＰデータを読み出し、設定された種類の統計情報の生成・解析を行なう（Ｓ１２）。
【００２２】
さらに選択部６０が、解析部５０によって求めたられた解析情報のうち、設定された種別の解析情報のみを選択し、選択した統計情報を選択部７０に出力する（Ｓ１３）。
【００２３】
そして、選択部７０が、選択された統計情報のうち、設定された値と一致する統計情報を抽出し、表示処理部（図示せず）に出力する（Ｓ１４）。
【００２４】
さらに、表示処理部（図示せず）が、抽出した結果の統計情報を表示部８０の表示画面に表示する（Ｓ１５）。
【００２５】
測定を続ける場合は、再度、パケットを取得して解析を行ない、所望の条件（種別、値）に合致する統計情報を抽出し、抽出した統計情報で表示画面を更新する（Ｓ１６、Ｓ１１〜Ｓ１５）。測定を終了する場合、パケットの測定等を終了する（Ｓ１６）。
【００２６】
続いて、図４〜図８は、第２の選択部８０への入力データ、表示部８０の表示画面の一例を示した図である。
【００２７】
（１）図４では、選択部６０で選択される統計情報として、１〜３チャネル（このチャネルとは、物理的なポート１０の番号ではなく、論理チャネルを指す）それぞれのフレーム数とし、選択部７０で選択される値を”２０以上”として説明する。
【００２８】
ｎ回目の測定結果では、選択部７０には、統計情報Ａ１〜Ａ３が入力されている。従来のネットワーク評価装置では、この統計情報Ａ１〜Ａ３の全てが表示される。一方、図１に示す装置では、選択部７０で値による更なる選択が行なわれるので、設定部９０で設定された条件（フレーム数≧２０）を満たす統計情報（統計情報種類およびその値）Ａ２のみが表示される。
【００２９】
（ｎ＋１）回目の次の測定では、統計情報Ａ３の値が、”０”から”８０”に変化するため、表示画面では、統計情報Ａ３が追加されて表示される。すなわち、各測定ごとに動的に統計情報Ａ１〜Ａ３が増減する。
【００３０】
（２）図５では、選択部６０で選択される統計情報として、１〜３チャネルそれぞれのトラフィックレート［％］とし、選択部７０で選択される値を”３０〜６０［％］”として説明する。
【００３１】
ｎ回目の測定結果では、選択部７０には、統計情報Ｂ１〜Ｂ３が入力されている。従来のネットワーク評価装置では、この統計情報Ｂ１〜Ｂ３の全てが表示される。一方、図１に示す装置では、選択部７０で値による更なる選択が行なわれるので、設定部９０で設定された条件（３０≦トラフィックレート≦６０）を満たす統計情報（統計情報種類およびその値）Ｂ２のみが表示される。
【００３２】
（ｎ＋１）回目の次の測定では、統計情報Ｂ１の値が”１１．８”から”３１．６”、統計情報Ｂ２の値が”５０．０”から”６０．３”に変化するため、表示画面では、統計情報Ｂ１が追加され、統計情報Ｂ２が削除されて表示される。すなわち、各測定ごとに動的に統計情報Ｂ１〜Ｂ３が増減する。
【００３３】
（３）図６では、選択部７０に複数の条件（図６では２種類）を設定し、各設定条件の結果を表示する例を示している。ここで、選択部６０で選択される統計情報は、ポート１０の１ポート目ｐｔ１〜４ポート目ｐｔ４それぞれの統計情報Ａ〜Ｄとしている。また、選択部７０で選択される第１の条件を（８≦統計情報の値）とし、第２の条件を（２≦統計情報の値≦３）としている。
【００３４】
選択部７０には、ポートｐｔ１〜ｐｔ４それぞれの統計情報Ａ〜Ｄが入力されている。従来のネットワーク評価装置では、この統計情報がテーブルとして全てが表示される。一方、図１に示す装置では、選択部７０が、第１の条件で更なる選択を行なってテーブルｔｂ１を表示し、第２の条件で更なる選択を行なってテーブルｔｂ２を表示している。なお、テーブル中の”−”は、選択部７０で選択されなかったことを示している。
【００３５】
（４）図７では、選択部８０の選択結果によって、ネットワーク２００やネットワーク機器３００での障害の発生を示すアラームを表示する例を示している。図７において、表示部８０の表示画面の近傍にアラーム用のＬＥＤ８１が設けられる。ここで、選択部６０で選択される統計情報は、ポート１０の１ポート目ｐｔ１〜４ポート目ｐｔ４それぞれの統計情報Ａ〜Ｄとしている。また、選択部７０で選択される条件を（８≦統計情報の値）としている。なお、図６と同一のものには同一符号を付し、説明を省略する。
【００３６】
ｎ回目の測定結果では、選択部７０には、ポートｐｔ１〜ｐｔ４それぞれの統計情報Ａ〜Ｄが入力され、選択部７０が、テーブルｔｂ１を表示している。そして、アラーム出力部（図示せず）が、選択部７０の選択結果を参照し、１個でも選択されたものが存在する場合、装置１００に設けられるアラーム用のＬＥＤ８１を点灯させる。
【００３７】
（ｎ＋１）回目の次の測定では、選択部７０には、ポートｐｔ１〜ｐｔ４それぞれの統計情報Ａ〜Ｄが入力されるが、設定条件を満たす値が存在せず、選択部７０が、テーブルｔｂ１を生成しない。そして、アラーム出力部（図示せず）が、選択部７０の選択結果を参照し、選択された統計情報が１個も存在しないので、装置１００に設けられるアラーム用のＬＥＤ８１を消灯させる。
【００３８】
このように、種別による選択部６０が、設定部９０によって設定された種類の統計情報を選択する。そして、値による選択部７０が、選択部６０で選択された統計情報のなかから設定部９０によって設定された値となる統計情報のみを更に選択して表示部８０の表示画面に表示する。これにより、ユーザが本当に必要とする統計情報（例えば、ネットワークシステムの障害を発生させる要因となる統計情報）のみを表示することができ、統計情報の見落としが抑えられリアルタイムに評価を行なうことができる。従って、ネットワーク２００やネットワーク機器３００を効率よく評価・検証等できる。
【００３９】
また、測定部１０が測定を行なうごとに、選択部６０、７０が選択を行なうので、表示画面に表示される統計情報を動的に増減させて画面更新できる。
【００４０】
なお、本発明はこれに限定されるものではなく、以下に示すようなものでもよい。
（１）統計情報の一例として、フレーム数、トラフィックレートを挙げたが、どのような統計情報の種別、値を選択対象としてもよい。
【００４１】
（２）値による選択部７０が、１種類または２種類の条件で選択を行なう構成を示したが、条件の種類は何個でもよく、各条件ごとにテーブルを作成して選択結果を表示してもよい。
【図面の簡単な説明】
【００４２】
【図１】本発明の一実施例を示した構成図である。
【図２】図１に示す装置を用いたネットワーク評価システムの構成例を示した図である。
【図３】図１に示す装置の動作を説明したフローチャートである。
【図４】図１に示す装置の表示例を示した図である。
【図５】図１に示す装置のその他の表示例を示した図である。
【図６】図１に示す装置のその他の表示例を示した図である。
【図７】図１に示す装置のその他の表示例を示した図である。
【符号の説明】
【００４３】
４０  発生部
５０  解析部
６０  種別による選択部（第１の選択部）
７０  値による選択部（第２の選択部）
８０  表示部
【図１】
2008211552.tif 000003
【図２】
2008211552.tif 000004
【図３】
2008211552.tif 000005
【図４】
2008211552.tif 000006
【図５】
2008211552.tif 000007
【図６】
2008211552.tif 000008
【図７】
2008211552.tif 000009